(57)【要約】【課題】貨物自動車の車体後部に設けた荷受台昇降装置で、荷受台にストッパと、このストッパを突出・格納操作する操作レバーとを設け、ストッパを突出させたときこれを荷受台上のカートの車輪に当接させて、そのカートの落下を防止するようにしたストッパ装置を備えたものにおいて、荷受台を格納したとき、操作レバーがフリーに揺動して、その先端部が、荷箱や荷受台に当たって、それらを損傷することがないようにした。【解決手段】ストッパ１５側の被係合部材３０に対して、荷受台８側の係合部材３１を操作レバー５６の操作による第１、第２の圧縮コイルバネ４０，５４の弾発力で係合させてストッパ１５を格納位置にロックできるようにし、また、第２の圧縮コイルばね５４は、係合部材３１と被係合部材３０とが半ロック状態になったときに、操作レバー５６をロック側に弾発附勢してその自由な揺動、スライド移動を防止し、荷受台８の格納時に、操作レバー５６がフリーに揺動してその先端部が、荷箱や荷受台８に当たることがないようにした。【選択図】　　図６
2004090876.tif 000002
【特許請求の範囲】
【請求項１】
荷箱（２）を搭載した車体（１）に、昇降機構を介して荷受台（８）を昇降可能に設け、該荷受台（８）は、水平状態で荷箱（２）の荷台（３）と地上間で昇降作動され、
また前記荷受台（８）は折り畳まれて荷箱（２）の床下に格納、あるいは荷箱（２）に沿って起立格納されるようにした、車両の荷受台昇降装置において、
前記荷受台（８）は、その荷受面と略面一な格納位置と、その荷受面より突出する突出位置とに保持され、かつ附勢手段（２１）により突出位置に附勢されるストッパ（１５）および前記ストッパ（１５）を格納位置にロック、あるいはロック解除するロック手段（ＬＯ）を備え、
前記ロック手段（ＬＯ）は、前記ストッパ（１５）側に設けられる被係合部材（３０）と、前記荷受台（８）側に設けられて前記被係合部材（３０）に係脱し得るように、ロック側とロック解除側にスライド作動し得る係合部材（３１）と、前記係合部（３１）をロック側に附勢する第１の附勢手段（４０）と、前記荷受台（８）に揺動可能に軸支されて前記係合部材（３１）に連動される操作部材（５６）と、該操作部材（５６）の揺動操作に関連して前記係合部材（３１）をスライド作動するガイド手段（６０）と、前記操作部材（５６）をロック側に附勢し、前記第１の附勢手段（４０）よりも附勢力の大きい第２の附勢手段（５４）とを含み、
前記第２の附勢手段（５４）は、係合部材（３１）が被係合部材（３０）に対して半ロック状態となったときに、前記操作部材（５６）をロック側に附勢してそのフリーな揺動およびスライド移動を規制し、荷受台（８）の格納時に、該操作部材（５６）の先端部が荷受台（８）の荷受面から突出するのを防止するようにしたことを特徴とする、車両の荷受台昇降装置におけるストッパ装置。
【発明の詳細な説明】
【０００１】
【発明の属する技術分野】
本発明は、貨物自動車などの車両の車体に設けられて、車体上の荷箱と地上間で荷物の積み降ろしを行なう荷受台昇降装置において、荷受台上に載置されるカートの車輪などを荷受台上に受け止めて、その落下を防止するようにしたストッパ装置に関するものである。
【０００２】
【従来の技術】
従来、貨物自動車の車体後部に設けた荷受台昇降装置（テールゲイトリフター）において、荷受台にストッパと、このストッパを突出・格納操作する操作レバーとを設け、前記ストッパを突出させたとき、これを荷受台上に載置されたカートの車輪に当接させて、該カートを受け止めてその落下を防止するようにした、ストッパ装置は、公知である（たとえば特許文献１参照。）。
【０００３】
【特許文献１】
特開平１１−１２３９７５号公報
【０００４】
【発明が解決しようとする課題】
ところで、前記公知のものでは、図１２（ａ）に示すように、操作レバーをロック位置に操作することにより、圧縮ばねの弾発力により、係合部材を被係合部材に係合させてストッパを伏倒位置に格納させ、また、図１２（ｂ）に示すように、操作レバーをロック解除位置に操作することにより、係合部材を被係合部材から外してストッパを圧縮ばねの附勢力により突出させて荷受台の荷受面よりも突出させるように構成されている。
【０００５】
ところが、この公知のものでは、係合部材と被係合部材間の多少の位置ズレ、その他何らかの原因により、図１３に示すように、係合部材が被係合部材に完全に係合しきらずに、半ロック状態になることがあり、このとき、操作レバーは、ロック位置とアンロック位置との中間に位置して、フリーに回転可能な状態になる。この場合、
▲１▼前記特許文献（特開平１１−１２３９７５号公報）に示されるもののように、荷受台昇降装置の荷受台が起立格納式のものでは、荷受台を荷箱に沿うように起立回動して格納した際に、フリー状態にある操作レバーは自重により揺動、起立して、その先端部が荷箱側に向いた状態になり、その結果荷受台は格納位置で、操作レバーの先端部が荷箱に衝接して、その荷箱を損傷させる虞れがあるという問題がある。また、
▲２▼後述する本発明の実施例に示すように、荷受台昇降装置の荷受台（折り畳み可能）が床下格納式のものでは、荷受台の格納時に、基部側荷受台に対して先部側荷受台を折り畳むべく裏返すと、フリー状態にある操作レバーが自重により揺動して、その先端部が下向きになり、先部側荷受台を基部荷受台上に折り畳んだときに、その操作レバーの先端部が基部側荷受台に衝接して、基部側荷受台を損傷させる虞れがあるという問題がある。
【０００６】
本発明はかかる実情に鑑みてなされたもので、係合部材が被係合部材に対して半ロック状態になったとき、操作レバーをロック側に附勢して、そのフリーな揺動、スライド移動を規制して前記問題を解決できるようにした、新規な車両の荷受台昇降装置におけるストッパ装置を提供することを目的とするものである。
【０００７】
【課題を解決するための手段】
上記目的を達成するために、請求項１記載の発明は、荷箱を搭載した車体に、昇降機構を介して荷受台を昇降可能に設け、該荷受台は、水平状態で荷箱の荷台と地上間で昇降作動され、また前記荷受台は折り畳まれて荷箱の床下に格納、あるいは荷箱に沿って起立格納されるようにした、車両の荷受台昇降装置において、前記荷受台は、その荷受面と略面一な格納位置と、その荷受面より突出する突出位置とに保持され、かつ附勢手段により突出位置に附勢されるストッパおよび前記ストッパを格納位置にロック、あるいはロック解除するロック手段を備え、前記ロック手段は、前記ストッパ側に設けられる被係合部材と、前記荷受台側に設けられて前記被係合部材に係脱し得るように、ロック側とロック解除側にスライド作動し得る係合部材と、前記係合部をロック側に附勢する第１の附勢手段と、前記荷受台に揺動可能に軸支されて前記係合部材に連動される操作部材と、該操作部材の揺動操作に関連して前記係合部材をスライド作動するガイド手段と、前記操作部材をロック側に附勢し、前記第１の附勢手段よりも附勢力の大きい第２の附勢手段とを含み、前記第２の附勢手段は、係合部材が被係合部材に対して半ロック状態になったとき、前記操作部材をロック側に附勢してそのフリーな揺動およびスライド移動を規制し、荷受台の格納時に、該操作部材の先端部が荷受台の荷受面から突出するのを防止するようにしたことを特徴としており、かかる特徴によれば、荷受台側の係合部材が、ストッパ側の被係合部材と半ロック状態となることがあっても、該係合部材を操作する操作部材が、フリーに揺動、スライド移動するのを規制して、荷受台の格納時に、操作部材の先端部が、荷箱や荷受台に衝接することがなく、該荷箱や荷受台の損傷を防止することができる。
【０００８】
【発明の実施の形態】
本発明の実施の形態を、添付図面に例示した本発明の実施例に基づいて以下に具体的に説明する。
【０００９】
まず、図１〜９を参照して本発明の第１実施例について説明する。
【００１０】
この実施例は、床下格納式の荷受台を備えた荷受台昇降装置に、本発明ストッパ装置を実施した場合であり、図１は、本発明装置を備えた貨物自動車の後部側面図、図２は、図１の２矢視平面図、図３は、図２の３矢視仮想線囲い部分の一部破断拡大図、図４は、図３の４−４線に沿う断面図、図５は、図２の５矢視仮想線囲い部分の一部破断拡大図、図６は、図５の６−６線に沿う断面図、図７は、図５の７−７線に沿う断面図、図８は、図６の８−８線に沿う断面図、図９は、ストッパ装置の作用を示す断面図である。
【００１１】
図１において、貨物自動車の車体１上には、荷台３を有する荷箱２が搭載され、この荷箱２の後面に図示しない後部扉により開閉される出入口４が開口される。車体１の後部には、荷箱２の床下に格納可能な荷受台昇降装置Ｌが、前後方向に移動可能に支持される。車体１の後部には、支持フレーム５が該車体１の前後方向に移動可能に支持されている。支持フレーム５には、メインアーム６およびサブアーム７が上下方向に揺動可能に軸支され、これらのアームの先部に後述する荷受台８の基部フレーム９が連結される。また、前記支持フレーム５とメインアーム６との間には昇降用油圧シリンダ１０の両端が連結されている。荷受台８は、前記支持フレーム５に一体的に設けられる基部側荷受台８Ａと、その自由端に、ヒンジ軸１１を以て折り畳み可能に連結される先部側荷受台８Ｂとよりなり、図１鎖線に示すように先部側荷受台８Ｂは、ヒンジ軸１１まわりに基部側荷受台８Ａ上に重なるように反転して折り畳むことができる。荷受台８は昇降用油圧シリンダ１０の伸縮作動により、図１の実線と鎖線で示すように昇降作動することができ、上昇位置にある荷受台８は、荷箱２の荷台３と略同一面とすることができ、また、鎖線に示すように下降位置にある荷受台８は、荷箱２の床下に格納することができる。
【００１２】
なお、荷受台８の昇降装置およびその荷箱２の床下への格納装置は従来公知のものであるので、その詳細な説明を省略する。
【００１３】
図２に示すように、基部側荷受台８Ａと、その先部にヒンジ軸１１を以て折り畳み可能に接続される先部側荷受台８Ｂとよりなる荷受台８は、全体がＡｌ合金の押出成型により構成され、それらの左右両側縁は、縁取部材１２により縁取りされている。
【００１４】
先部側荷受台８Ｂの後端寄りの部分には、本発明にかかるストッパ装置Ｓが設けられ、このストッパ装置Ｓは、荷受台８上に載置された荷役物、特にカートを的確に受け止めて、これが荷受台８の昇降中に落下するのを未然に防止するためのものであり、以下にこのストッパ装置Ｓの構造を説明する。
【００１５】
図２，４に示すように、先部側荷受台８Ａの後端、すなわちその自由端寄りの部分には、その左右方向の帯状のストッパ収容凹部１６が形成され、このストッパ収容凹部１６には、後述する帯状のストッパ１５が収容され、このストッパ１５の一方の端縁に隣接して先部荷受台８Ｂに側縁（図５、左側縁）には、後述する操作レバー５６を配置するための操作フレーム１３が固定されている。
【００１６】
図４に示すように、ストッパ収容凹部１６の後部寄りの底部には、断面優弧状のピボット軸１７が、その全長に亘って一体に形成されている。ストッパ収容凹部１６内には、帯状のストッパ１５が突出、格納可能に収容されており、このストッパ１５の長手方向の一側に形成した断面優弧状の凹溝１８が、前記ピボット軸１７に回動自在に嵌合されており、ストッパ１５はピボット軸１７まわりに、図４に実線で示す伏倒位置（格納位置）と、同図鎖線に示す突出位置（作動位置）との間で回動できるようになっている。ストッパ１５の先部、すなわちその自由端部には、内向きに傾斜した係止面１５ａが形成されており、ストッパ１５が、図４に鎖線で示すように起立されると、前記係止面１５ａは、荷受台８の荷受面に対して略鉛直に突出した状態となり、荷受台８上のカートの車輪などを受け止めることができるようになっている。また、前記ストッパ収容凹部１６には、前記係止面１５ａに対応して傾斜面１６ａが形成されており、ストッパ１５が、図２に実線で示すように、格納位置に伏倒すると、前記係止面１５ａが傾斜面１６ａに当接されるようになっている。前記ストッパ１５の係止面１５ａに嵌着した断面円形のゴムクッション１９は、その当接時のショックおよび衝撃音を緩和する。また、ストッパ収容凹部１６の後端隅部にもゴムクッション２０が設けられ、ストッパ１５が起立回動したとき、その基部が、そのゴムクッション２０に当接して、その際のショックおよび衝撃音を緩和する。
【００１７】
図３，４に示すように、前記ストッパ収容凹部１６の空間部には、ストッパ１５を突出位置に附勢する附勢手段２１が収納されている。この附勢手段２１は、その空間部の長手方向に沿って設けらる長いボルト２２ａと、これに螺着されるナット２２ｂとよりなるばね軸２２と、このばね軸２２に巻装されて、長いボルト２２ａの頭部と、ナット２２ｂ間に取付けられる一対の捩りばね２３，２３より構成されており、一対の捩りばね２３，２３の一方の自由端は、ストッパ収容凹部１６の底壁に形成したフック状の下部係合凹部２４に、またその他方の自由端は、ストッパ１５の裏面に形成したフック状の上部係合凹部２５にそれぞれ係合されており、一対の捩りばね２３，２３の弾発力は、前記ストッパ１５を突出位置（図４鎖線位置）に附勢している。
【００１８】
前記ストッパ収容凹部１６の左右方向の一側（車両の進行方向左側）には、前記ストッパ１５を伏倒位置（格納位置）にロックし、あるいはロック解除するロック手段ＬＯが設けられる。つぎにこのロック手段ＬＯの構成を、主に図５〜８を参照して説明する。
【００１９】
このロック手段ＬＯは、ストッパ１５の裏面に固定される被係合部材３０と、この被係合部材３０に係脱し得る係合部材３１と、この係合部材３１を作動する作動機構３２とより構成されている。前記被係合部材３０は、図６に示すように、ストッパ１５の裏面にボルト止めされる支持部材３３に一体に垂設されて、Ｕ字状に形成される。一方、前記係合部材３１は、先端に前記被係合部材３０と係脱し得る先部の上面に、前方に向かって下る傾斜案内面３１ａを有して断面四角な棒状に形成されている。前記作動機構３２は、手動により前記係合部材３１を、被係合部材３０に対して前後にスライド移動させて、そこに係脱できるように構成されており、以下にその具体的な構造について説明すると、荷受台８の、ストッパ収容凹部１６下の底板３５にはベース３６が固定され、このベース３６の、前記被係合部材３０寄りの上面には、中空の角筒部材３８が固定され、この角筒部材３８に前記係合部材３１が前記被係合部材３０に対して前後にスライド移動できるように嵌挿されている。角筒部材３８内には、その後端壁と係合部材３１の後端間に第１の附勢手段４０、すなわち第１の圧縮コイルばねが縮設されており、この第１の附勢手段４０の弾発力は、係合部材３１を突出する方向、すなわち被係合部材３０と係合する方向に常時附勢している。また、角筒部材３８内には、その後端壁に開口した通孔を貫通して、その角筒部材３８の中心軸線に沿って案内棒４１が挿入され、この案内棒４１は、前記圧縮コイルばねよりなる第１の附勢手段４０を挿通して係合部材３１の中心軸線に沿って穿設した行き止まりの案内孔４３内に摺動自在に嵌入されている。また係合部材３１の中間部には、その長手方向に沿って長孔４４が穿設され、この長孔４４に、案内棒４１の途中に横向きに固定した係合ピン４６が摺動自在に係合されている。したがって図６，８に示すように、前記係合部材３１は、第１の圧縮コイルばね４０の弾発力により、係合ピン４６が長孔４４の後端に係合するまで前方、すなわち被係合部材３０に向けて突出するように附勢される。案内棒４１の角筒部材３８よりも後方に突出する後端には、径大なボス部４１ａが一体に形成され、このボス部４１ａの端面が、後述する第２の附勢手段である前記第２の圧縮コイルばね５４（第１の圧縮コイルばね４０よりもばね力が大きい）の弾発力により角筒部材３８の後端面に突き当たることにより、案内部材４１の位置が規制される。前記案内棒４１後端のボス部４１ａには、その案内棒４１と同一軸線上に、長いボルトよりなる作動棒４８の先端部が螺合されて、長さを調節機構４９を介して一体に連結される。長さ調節機構４９は、ボス部４１ａに形成した雌ねじ孔４９ａと、作動棒４８の一端部に形成されて雌ねじ孔４９ａに長さ調節可能に螺合される雄ねじ４９ｂと、その雄ネジ４９ｂに螺合されてボス部４１ａの外端にに衝き当てられるナット４９ｃとより構成されている。
【００２０】
図５、６に示すように、作動棒４８は、前記ストッパ１５を越えて荷受台８の側縁の操作フレーム１３の下まで延長しており、その延長部は、そこに嵌挿されるスリーブ５０を介してベース３６に固定された軸受５１に摺動自在に貫通支持されている。スリーブ５０の外端は末広状に拡開されていて長いボルトよりなる作動棒４８の外端の頭部に、第２の附勢手段すなわち第２の圧縮コイルばね５４の弾発力により係合しており、作動棒４８とスリーブ５０とは一体的に外方（図６左方向）へ移動可能である。作動棒４８の嵌挿されて前記ナット４９ｃに着座されるバネ座５３と、前記軸受５１の端縁間には、前記第１の附勢手段４０よりもばね力の大きい第２の附勢手段すなわち第２の圧縮コイルばね５４が縮設されており、この第２の圧縮ばね５４は、作動棒４８および案内棒４１を介して前記係合部材３１を突出する方向（図６，８右方向）に弾発附勢している。
【００２１】
図５〜７に示すように、前記軸受５１と作動棒４８の端縁間のスリーブ５０の外周には、上方に延びる操作部材としての操作レバー５６を固定したレバースリーブ５７が一体に設けられており、ベース３６の外端部には、前記操作レバー５６を取り囲むようにして、門型の形成した操作盤５８が固定され、この操作盤５８の上面は、先部荷受台８Ｂの一側に固定した操作フレーム１３の開口を通して外部に露出しており、その上面にガイド溝６０が形成され、このガイド溝６０に前記操作レバー５６が貫通し、この操作レバー５６は、操作フレーム１３の開口を通って荷受台８上より操作できるようになっている。ガイド溝６０には、操作レバー５６を前記第１、第２の圧縮コイルばね４０，５４の弾発力に抗してロック解除位置（係合部材３１の後退位置）に係止するための第１溝部６０ａと、この第１溝６０ａと反対側にあって、前記操作レバー５６を前記第１、第２の圧縮コイルばね４０，５４の弾発力によりロック位置（係合部材３１の前進位置）に保持するとともに前記ロック解除位置への移動を許容する軸方向の長さを有する第２溝部６０ｂが形成され、さらに前記第１溝部６０ａと第２溝部６０ｂ間に跨がり、操作レバー５６をそれらの溝６０ａ，６０ｂ間に案内する傾斜カム面６０ｃが形成されており、この傾斜カム面６０ｃの一端は、第２溝６０ｂ内に臨んでいる。
【００２２】
つぎに、この第１実施例の作用について説明する。
【００２３】
いま、貨物自動車が走行状態にあり、荷受台８が図１に示すように、格納位置にあるときは、荷受台８に設けたストッパ１５は、格納位置すなわち伏倒位置にあり、この状態では、ロック位置に保持される。すなわち、操作レバー５６は図５，６に示すように、第２溝部６０ｂにあり、係合部材３１は第１および第２の圧縮コイルばね４０，５４の弾発力により、作動棒４８および案内棒４１を介して係合位置に突出附勢され、これがストッパ１５側の被係合部材３０に係合してストッパ１５は格納位置に伏倒される。
【００２４】
つぎに、貨物自動車を停車させ、荷箱２内の荷物を地上に降ろす場合には、荷台３を格納状態から図１に実線で示すように、荷箱２の荷台３と同じレベルまで上昇させ、先部側荷受台８Ｂを手動により張出位置に回動させる。つぎに格納位置にある操作レバー５６を足で蹴るなどして外側に移動させると、該操作レバー５６は、第１，２圧縮コイルばね４０，５４の弾発力に抗して案内溝６０の傾斜カム面６０ｃに沿って外側に移動して第１溝部６０ａに係合する。これにより作動部棒４８および案内棒４１が第１，２圧縮コイルばね４０，５４の弾発力に抗して後退し、図９（ａ）に示すように、係合部材３１が後退作動されて、被係合部材３０から外れる。以上のように、ストッパ１５がロック解除位置に保持されると、ストッパ１５は、附勢手段２１の一対の捩りばね２３の附勢力により、図４鎖線に示すように上方に回動して突出位置に保持される。このとき、操作レバー５６は、案内溝６０の傾斜カム面６０ｃに係合しているため、第１，２圧縮コイルばね４０，５４の附勢力により自動的にロック位置に戻される。
【００２５】
つぎに、荷台３上の荷物を図示しないカートに移載して荷受台８上に移動し、荷受台昇降装置Ｌの作動により荷受台８を下降させる。このときカートの車輪は、突出しているストッパ１５の係合面１５ａに当接して、荷受台８の先部からカートが落下するのを防止することができる。荷受台８が地上まで下降したら、突出しているストッパ１５を足で踏みつけるなどして図４に示すように格納位置に揺動する。このとき、ストッパ１５下の被係合部材３０は、ロック位置（突出位置）にある係合部材３１の傾斜案内面３１ａに押し付けられ、この押付力の、係合部材３１の軸方向の分力により係合部材３１は、第１，２コイル圧縮ばね４０，５４の附勢力に抗して後退方向にスライドするため、被係合部材３０が係合部材３１よりも下方に移動すると、被係合部材３０による押付力から解除された係合部材３１は、第１，２圧縮コイルばね４０，５４の附勢力により係合方向にスライド前進して、図６に示すように被係合部材３０に係合することができる。これにより、ストッパ１５は、荷受台８の上面と略同一面になり、荷受台８上のカートを支障なく地上に降ろすことができる。
【００２６】
つぎに、地上の荷物を荷箱２の荷台３上に積み込む場合には、操作レバー５６を荷受台８の基部側から先部側に向かって足で蹴るなどして、該操作レバー５６を起立揺動させる。すると、操作レバー５６は、案内溝６０の傾斜カム面６０ｃに沿って移動し、これにより係合部材３１はロック位置からロック解除位置に後退してその位置に保持される。これによりストッパ１５は捩りばね２３の弾発力によりふたたび突出位置に保持される。
【００２７】
つぎに、地上の荷物をカートに載せて荷受台８上に走行移動させる。このとき、カートの前輪が、捩りばね２３の弾発力に抗してストッパ１５を乗り越えると、ストッパ１５は、ふたたび捩りばね２３の弾発力により、起立位置まで上方に回動して、カートを荷受台８上に係止することができる。このため、作業者が誤ってカートから手を離しても、カートが地上に逆戻りすることが防止される。
【００２８】
さらに荷受台８上のカートを荷箱２に向けて押して、その後輪がストッパ１５を踏み越えると、ふたたびストッパ１５が突出位置に保持される。その後、荷受台昇降装置Ｌの作動により荷受台８を荷台３と略面一になるまで上昇させ、カートを荷台３上に走行移動させることができる。このとき、カートの後輪は、ストッパ１５の係止面１５ａに当接されているためカートが荷受台８から落下することが防止される。
【００２９】
前述した積み降ろし作業が終了したら、操作レバー５６を先部側から基部側に向かって足で蹴るなどして揺動させると、該操作レバー５６はガイド溝６０の傾斜カム面６０ｃから第２溝部６０ｂに移動し、作動棒４８は第１，２の圧縮コイルばね４０，５４の附勢力により、係合部材３１は後退位置（ロック解除位置）からスライドして前進位置（ロック位置）に保持される。この状態からストッパ１５を踏みつけるなどして伏倒位置に回動すると、図６に示すように、被係合部材３０は係合部材３１に係合して、図４に実線で示すように、ストッパ１５は格納位置に保持される。そして、ストッパ１５の格納後は、荷受台昇降装置Ｌの格納作動により、荷受台８は、その基部荷受台８上に、先部荷受台８を折り畳んで、図１に鎖線で示すように荷箱２の床下に格納される。
【００３０】
ところで、ストッパ１５は、操作レバー５６の揺動およびスライド操作で係合部材３１を前進あるいは後退させて、被係合部材３０に係脱させ、ストッパ１５を格納位置に伏倒し、あるいは作動位置に突出させるものであるが、係合部材３１と被係合部材３０の相互間の多少の位置ずれ、その他の何らかの原因で、図９（ｂ）に示すように、係合部材３１は、被係合部材３０に対して半ロック状態（半係合状態）になることがある。かかる場合に、前記従来のものでは、操作レバーは、自由な揺動およびスライド移動が許容される状態となるため、荷受台８の格納時には、操作レバーはその自重で下方に揺動し、その先端部が、荷受台８の
荷受面から突出して、前記
【発明が解決しようとする課題】の項で述べた▲１▼あるいは▲２▼の不都合を生起するが、この実施例のものでは、操作レバー５６は、係合部材３１が被係合部材に対して半ロック状態にある場合に、第１の圧縮コイルばね４０よりもばね力の大きい第２の圧縮コイルばね５４の弾発力で一方向に附勢され、第２の溝６０ｂ内でロック側に弾発保持されるので、そのフリーな揺動およびそのスライド移動が抑止されて、荷受台８を格納しても操作レバー５６がその自重で揺動、スライド移動することがなく、その先端部が、荷受台８に衝接して該荷受台を損傷することがない。
【００３１】
なお、荷受台昇降装置の荷受台が起立格納式の場合には、操作レバー５６の先端部が、荷箱に衝接して該荷箱を損傷することがない。
【００３２】
つぎに、本発明の第２実施例について説明する。
【００３３】
図１０（ａ）は、本発明の第２実施例を示す、ストッパ装置の要部の断面図であり、図中、前記第１実施例と同じものには、同じ符号が付される。
【００３４】
この第２実施例は、第２の附勢手段である、第２圧縮コイルばね５４の取付位置が、前記第１実施例のものと相違しており、作動棒４８の外端には、ばね座１０１が固定され、このばね座１０１と操作レバー５６間に第２圧縮コイルばね５４が縮設され、このばね５４の弾発力は、係合部材３１の位置に関係なく、操作レバー５６を案内溝６０の第２溝部６０ｂ側に附勢し、そのフリーな揺動、スライド移動を防止する。
【００３５】
そして、この第２実施例のものも前記第１実施例のものと同じ作用効果を奏する。
【００３６】
つぎに、本発明の第３実施例について説明する。
【００３７】
図１０（ｂ）は、本発明の第３実施例を示す、ストッパ装置の要部の断面図であり、図中、前記第１実施例と同じものには、同じ符号が付される。
【００３８】
この第３実施例は、第２の附勢手段である、第２圧縮コイルばね５４の取付位置が、前記第１実施例のものと相違しており、作動棒４８の外端には、ばね座２０１が固定され、このばね座２０１と操作レバー５６と一体のレバースリーブ５７間に第２圧縮コイルばね５４が縮設され、このばね５４の弾発力は、係合部材３１は被係合部材に対して半ロック状態にある場合に、操作レバー５６を案内溝６０のロック側に附勢し、そのフリーな揺動、スライド移動を防止する。
【００３９】
そして、この第３実施例のものも前記第１実施例のものと同じ作用効果を奏する。
【００４０】
つぎに、本発明の第４実施例について説明する。
【００４１】
図１０（ｃ）は、本発明の第４実施例を示す、ストッパ装置の要部の断面図であり、図中、前記第１実施例と同じものには、同じ符号が付される。
【００４２】
この第４実施例は、第２の附勢手段である、第２圧縮コイルばね５４の取付位置が、前記第１実施例のものと相違している。すなわち図１０（Ｃ）に示すように、角筒部材３１の外周には、外筒３０２が嵌合され、その前端は係合部材３１の前端に係合される。係合部材３１の中間部には、ばね座３０１が固定され、このばね座３０１と外筒３０２の後端間に、第２の附勢手段である第２圧縮コイルばね５４が縮設される。この第２圧縮コイルばね５４は、係合部材３１を突出方向に附勢すると共に操作レバー５６を第２溝部６０ｂの係合させて、そのフリーな揺動、スライド移動を防止するので、前記第１〜３実施例と同じ作用効果を奏する。
【００４３】
つぎに、本発明の第５実施例について説明する。
【００４４】
図１１（ｄ）および（ｅ）は、本発明の第５実施例を示す、図１１（ｄ）はストッパ装置の要部の断面図であり、図１１（ｅ）は、図１１（ｄ）のｅ−ｅ線に沿う断面図であり、前記第１実施例と同じものには、同じ符号が付される。
【００４５】
この第５実施例は、第２の附勢手段５４として、捩りばねを用いた場合であり、作動棒４８の中間部に巻装した、第２の附勢手段としての捩りばね５４の一方の端部はベース３６に係合され、またその他方の端部は操作レバー５６と一体のスリーブ５０の一端に係合される。捩りばね５４の弾発力は、スリーブ５０を介して操作レバー５６をガイド溝６０の第２溝６０ｂ側に附勢して、そのフリー揺動、スライド移動を防止するので、前記第１〜第４実施例と同じ作用効果を奏する。
【００４６】
以上、本発明の実施例について説明したが、本発明はその実施例に限定されることなく、本発明の範囲内で種々の実施例が可能である。
【００４７】
たとえば、荷受台昇降装置の荷受台は、床下格納式のものについて説明したが、荷受台は、起立格納式、垂直昇降式、その他の型式のものでもよい。また、第２の附勢手段の取付位置は、前記第１〜第４実施例のほか、その機能を逸脱しない範囲で何処に取付けてもよく、また第１，２の附勢手段は、圧縮コイルばね、捩りばねのほか、従来公知の同効のものの使用が可能である。
【００４８】
【発明の効果】
以上のように、請求項１記載の発明によれば、車両における荷受台昇降装置において、荷受台側の係合部材が、ストッパ側の被係合部材と半ロック状態となることがあっても、該係合部材を操作する操作部材が、フリーに揺動するのを規制して、荷受台の格納時に、操作部材の先端部が、荷箱や荷受台に衝接することがないようにして、該荷箱や荷受台の損傷を防止することができる。
【図面の簡単な説明】
【図１】本発明装置を備えた貨物自動車の後部側面図（第１実施例）
【図２】図１の２矢視平面図
【図３】図２の３矢視仮想線囲い部分の一部破断拡大図
【図４】図３の４−４線に沿う断面図
【図５】図２の５矢視仮想線囲い部分の一部破断拡大図
【図６】図５の６−６線に沿う断面図
【図７】図５の７−７線に沿う断面図
【図８】図６の８−８線に沿う断面図
【図９】ストッパ装置の作用を示す断面図
【図１０】ストッパ装置の要部の断面図（第２、第３、第４実施例）
【図１１】ストッパ装置の要部の断面図およびそのｅ−ｅ線に沿う断面図（第５実施例）
【図１２】従来のストッパ装置のロック状態およびロック解除状態を示す断面図
【図１３】従来のストッパ装置の半ロック状態を示す断面図
【符号の説明】
１・・・・・・・・・車体
２・・・・・・・・・荷箱
３・・・・・・・・・荷台
８・・・・・・・・・荷受台
１５・・・・・・・・ストッパ
２１・・・・・・・・附勢手段（ばね手段）
２４・・・・・・・・摩擦パッド
３０・・・・・・・・被係合部材
３１・・・・・・・・係合部材
４０・・・・・・・・第１の附勢手段（第１圧縮コイルばね）
５４・・・・・・・・第２の附勢手段（第２圧縮コイルばね）
５６・・・・・・・・操作部材（操作レバー）
６０・・・・・・・・ガイド手段（ガイド溝）
ＬＯ・・・・・・・・ロック手段
【図１】
2004090876.tif 000003
【図２】
2004090876.tif 000004
【図３】
2004090876.tif 000005
【図４】
2004090876.tif 000006
【図５】
2004090876.tif 000007
【図６】
2004090876.tif 000008
【図７】
2004090876.tif 000009
【図８】
2004090876.tif 000010
【図９】
2004090876.tif 000011
【図１０】
2004090876.tif 000012
【図１１】
2004090876.tif 000013
【図１２】
2004090876.tif 000014
【図１３】
2004090876.tif 000015